(57)【要約】【課題】干す物に応じて物干しバーを低い位置に突出する高突出状態と高い位置に突出する低突出状態とに切り換えて使用できる物干し装置を提供すること。【解決手段】窓取付用開口部３の左右外側の壁面５若しくは窓取付用開口部３の左右の縁枠部材４に取り付ける前記取付機構６に、窓側取付部７に対する回動腕部８の回動を規制して突出状態Ｂとした物干しバー１を高い位置で突出する高突出状態Ｂ１に位置決め可能な第一ストッパー９と、この高突出状態Ｂ１より低い位置で突出する低突出状態Ｂ２に位置決め可能な第二ストッパー10とを設け、第一ストッパー９は退避可動自在に設けて、この第一ストッパー９を退避可動することにより、物干しバー１が高突出状態Ｂ１に位置決められることなく、低突出状態Ｂ２に位置決め可能となるように構成した物干し装置。【選択図】図２
2014008214.tif 000002
【特許請求の範囲】
【請求項１】
横設する物干しバーの両端部に、この物干しバーを、窓の窓取付用開口部より上方の壁面に沿設した沿設状態と、この沿設状態の位置より下方にして前記窓から離れた突出状態とに切り換え自在となる取付機構を設け、この取付機構は、前記窓を設ける窓取付用開口部の左右外側の壁面若しくはこの窓取付用開口部の左右の縁枠部材に取り付ける各窓側取付部に回動腕部を上下方向に起伏回動自在に夫々枢着し、この各回動腕部の先端部を前記物干しバーの端部に夫々連結した構成とした物干し装置において、前記取付機構に、前記窓側取付部に対する前記回動腕部の回動を規制して前記突出状態とした前記物干しバーを高い位置で突出する高突出状態に位置決め可能な第一ストッパーと、この高突出状態より低い位置で突出する低突出状態に位置決め可能な第二ストッパーとを設けると共に、前記第一ストッパーは退避可動自在に設けて、この第一ストッパーを退避可動することにより、前記物干しバーを前記沿設状態の位置から前記回動腕部を下方へ伏動回動させて前記突出状態に切り換えた際に、前記物干しバーが前記高突出状態に位置決められることなく、前記低突出状態に位置決め可能となるように構成したことを特徴とする物干し装置。
【請求項２】
前記取付機構の前記回動腕部若しくは前記窓側取付部に係合部を設け、この係合部が係合可能な前記第一ストッパーと前記第二ストッパーを前記窓側取付部若しくは前記回動腕部に設けて、係合部が第一ストッパーに係合することで前記物干しバーが前記高突出状態に位置決められ且つ係合部が第二ストッパーに係合することで前記物干しバーが前記低突出状態に位置決められるように構成し、前記第一ストッパーは、前記窓側取付部若しくは前記回動腕部に対して突没可動自在に突設して、前記物干しバーを前記沿設状態の位置から前記回動腕部を下方へ伏動回動させて前記突出状態に切り換えた際に、突設状態の第一ストッパーには前記係合部が係合可能で且つ没入退避状態の第一ストッパーには前記係合部が係合不能となるように構成したことを特徴とする請求項１記載の物干し装置。
【請求項３】
前記回動腕部の前記窓側取付部に対する回動作動部若しくは前記窓側取付部の前記回動腕部に対する被回動作動部に係合部を設け、この係合部が係合可能な前記第一ストッパーと前記第二ストッパーとを前記窓側取付部の被回動作動部若しくは前記回動腕部の回動作動部に設けて、係合部が第一ストッパーに係合することで前記物干しバーが前記高突出状態に位置決められ且つ係合部が第二ストッパーに係合することで前記物干しバーが前記低突出状態に位置決められるように構成し、前記第一ストッパーは、前記窓側取付部の被回動作動部若しくは前記回動腕部の回動作動部に対して突没可動自在に突設して、前記物干しバーを前記沿設状態の位置から前記回動腕部を下方へ伏動回動させて前記突出状態に切り換えた際に、突設状態の前記第一ストッパーには前記係合部が係合可能で且つ没入退避可動した第一ストッパーには前記係合部が係合不能となって係合部が前記第二ストッパーに係合可能となるように構成したことを特徴とする請求項１，２のいずれか１項に記載の物干し装置。
【請求項４】
前記取付機構に、前記第一ストッパーを退避可動せしめるバー高さ切換レバーを設けたことを特徴とする請求項１〜３のいずれか１項に記載の物干し装置。
【発明の詳細な説明】
【技術分野】
【０００１】
本発明は、建物内の窓際に取り付けて使用する物干し装置に関するものである。
【背景技術】
【０００２】
洗濯物を部屋干しする場合、窓際に干すと日当たりが良くて乾燥し易く、また窓を開放すれば外気を取り入れながらの乾燥も行えるので、都合がいい。
【０００３】
この観点に基づいて出願人は、建物内の窓際に取り付けて使用する特許第４７３４３５２号（特許文献１）の物干し装置を発明した。
【０００４】
この特許文献１を簡単に説明すると、横設する物干しバーの両端部に、この物干しバーを、窓の窓取付用開口部より上方の壁面に沿設した沿設状態と、この沿設状態の位置より下方にして前記窓から離れた突出状態とに切り換え自在となる取付機構が設けられていて、この取付機構を建物内の窓取付用開口部の左右部に取り付けることにより、不使用時には物干しバーを邪魔にならない前記沿設状態にでき、この沿設状態から前記突出状態に切り換えることで物干しバーに洗濯物を掛けて窓際に干すことができるように構成されている。
【先行技術文献】
【特許文献】
【０００５】
【特許文献１】特許第４７３４３５２号公報
【発明の概要】
【発明が解決しようとする課題】
【０００６】
本発明は、上記特許文献１の改良に係るもので、物干しバーを低い位置に突出する高突出状態と高い位置に突出する低突出状態とに切り換えできて、例えば物干しバーの高突出状態を洗濯物の物干しとし、低突出状態を布団干しとするなどの干す物に応じた便利な使い分けが可能になる物干し装置を提供するものである。
【課題を解決するための手段】
【０００７】
添付図面を参照して本発明の要旨を説明する。
【０００８】
横設する物干しバー１の両端部に、この物干しバー１を、窓２の窓取付用開口部３より上方の壁面５に沿設した沿設状態Ａと、この沿設状態Ａの位置より下方にして前記窓２から離れた突出状態Ｂとに切り換え自在となる取付機構６を設け、この取付機構６は、前記窓２を設ける窓取付用開口部３の左右外側の壁面５若しくはこの窓取付用開口部３の左右の縁枠部材４に取り付ける各窓側取付部７に回動腕部８を上下方向に起伏回動自在に夫々枢着し、この各回動腕部８の先端部を前記物干しバー１の端部に夫々連結した構成とした物干し装置において、前記取付機構６に、前記窓側取付部７に対する前記回動腕部８の回動を規制して前記突出状態Ｂとした前記物干しバー１を高い位置で突出する高突出状態Ｂ１に位置決め可能な第一ストッパー９と、この高突出状態Ｂ１より低い位置で突出する低突出状態Ｂ２に位置決め可能な第二ストッパー10とを設けると共に、前記第一ストッパー９は退避可動自在に設けて、この第一ストッパー９を退避可動することにより、前記物干しバー１を前記沿設状態Ａの位置から前記回動腕部８を下方へ伏動回動させて前記突出状態Ｂに切り換えた際に、前記物干しバー１が前記高突出状態Ｂ１に位置決められることなく、前記低突出状態Ｂ２に位置決め可能となるように構成したことを特徴とする物干し装置に係るものである。
【０００９】
また、前記取付機構６の前記回動腕部８若しくは前記窓側取付部７に係合部11を設け、この係合部11が係合可能な前記第一ストッパー９と前記第二ストッパー10を前記窓側取付部７若しくは前記回動腕部８に設けて、係合部11が第一ストッパー９に係合することで前記物干しバー１が前記高突出状態Ｂ１に位置決められ且つ係合部11が第二ストッパー10に係合することで前記物干しバー１が前記低突出状態Ｂ２に位置決められるように構成し、前記第一ストッパー９は、前記窓側取付部７若しくは前記回動腕部８に対して突没可動自在に突設して、前記物干しバー１を前記沿設状態Ａの位置から前記回動腕部８を下方へ伏動回動させて前記突出状態Ｂに切り換えた際に、突設状態の第一ストッパー９には前記係合部11が係合可能で且つ没入退避状態の第一ストッパー９には前記係合部11が係合不能となるように構成したことを特徴とする請求項１記載の物干し装置に係るものである。
【００１０】
また、前記回動腕部８の前記窓側取付部７に対する回動作動部12若しくは前記窓側取付部７の前記回動腕部８に対する被回動作動部13に係合部11を設け、この係合部11が係合可能な前記第一ストッパー９と前記第二ストッパー10とを前記窓側取付部７の被回動作動部13若しくは前記回動腕部８の回動作動部12に設けて、係合部11が第一ストッパー９に係合することで前記物干しバー１が前記高突出状態Ｂ１に位置決められ且つ係合部11が第二ストッパー10に係合することで前記物干しバー１が前記低突出状態Ｂ２に位置決められるように構成し、前記第一ストッパー９は、前記窓側取付部７の被回動作動部13若しくは前記回動腕部８の回動作動部12に対して突没可動自在に突設して、前記物干しバー１を前記沿設状態Ａの位置から前記回動腕部８を下方へ伏動回動させて前記突出状態Ｂに切り換えた際に、突設状態の前記第一ストッパー９には前記係合部11が係合可能で且つ没入退避可動した第一ストッパー９には前記係合部11が係合不能となって係合部11が前記第二ストッパー10に係合可能となるように構成したことを特徴とする請求項１，２のいずれか１項に記載の物干し装置に係るものである。
【００１１】
また、前記取付機構６に、前記第一ストッパー９を退避可動せしめるバー高さ切換レバー14を設けたことを特徴とする請求項１〜３のいずれか１項に記載の物干し装置に係るものである。
【発明の効果】
【００１２】
本発明は上述のように構成したから、物干しバーを、窓の窓取付用開口部より上方の壁面に沿設した沿設状態（不使用時の収納状態）と、沿設状態の位置より下方にして窓から離れた突出状態（使用状態）に切り換えでき、しかも、突出状態とした物干しバーを、高い位置で突出する高突出状態に位置決め可能な第一ストッパーと、この高突出状態より低い位置で突出する低突出状態に位置決め可能な第二ストッパーとを設けたから、干す物に応じて物干しバーの高さを高突出状態と低突出状態とに切り換えでき、例えば布団のような重量物を干したい時には低突出状態に切り換えることで低い位置に簡単に干すことが可能となるなど、極めて実用性に優れた物干し装置となる。
【００１３】
また、請求項２，３記載の発明においては、前記作用・効果を確実に発揮する第一ストッパーと第二ストッパーを簡易に設計実現可能であると共に、退避可動自在な第一ストッパーの構成も簡易に設計実現可能となる一層実用性に秀れた構成の物干し装置となり、特に請求項３記載の発明のように構成することによって一層実現化が容易となる。
【００１４】
また、請求項４記載の発明においては、バー高さ切換用レバーのレバー操作により突出状態とした物干しバーの高さ切換操作を容易に行うことができる一層実用性に優れた構成の物干し装置となる。
【図面の簡単な説明】
【００１５】
【図１】本実施例の使用状態を示す斜視図である。
【図２】本実施例の使用状態を示す側面図である。
【図３】本実施例の回動腕部の回動規制構造を示す概略説明側面図である。
【図４】本実施例の回動腕部の窓側取付部への枢着構造を示す分解斜視図である。
【図５】図４の別角度からの斜視図である。
【図６】本実施例の窓側取付部の軸受構造並びに位置決め手段を示す分解斜視図である。
【図７】図６の別角度からの斜視図である。
【図８】本実施例の第一ストッパーの退避可動構造を示す概略説明正面図である。
【発明を実施するための形態】
【００１６】
好適と考える本発明の実施形態を、図面に基づいて本発明の作用を示して簡単に説明する。
【００１７】
窓２の窓取付用開口部３の左右外側の壁面５若しくはこの窓取付用開口部３の左右の縁枠部４に夫々窓側取付部７を介して取付機構６を取り付けすることで、本物干し装置を窓取付用開口部３に設置する。
【００１８】
物干しを行わない時は、各取付機構６の回動腕部８を上方へ回動することによって物干しバー１を窓２の窓取付用開口部３より上方の壁面５に沿設した沿設状態Ａにできる（物干しバー１を邪魔にならない収納状態にできる。）。
【００１９】
物干しを行う時は、各取付機構６の回動腕部８を下方へ回動することによって窓２の窓取付用開口部３より上方の壁面５に沿設している物干しバー１を、この沿設状態Ａの位置より下方にして前記窓２から離れた突出状態Ｂに切り換えることができる。
【００２０】
具体的には、各取付機構３の各回動腕部８を、各窓側取付部２下方に向かって回動させて物干しバー１を窓２から離れた位置に突出させる（突出状態Ｂとする）と、回動腕部８が第一ストッパー９に回動規制されて、物干しバー１が高い位置で突出する高突出状態Ｂ１に位置決められることになり、この高突出状態Ｂ１の物干しバー１に、例えば衣類などの洗濯物Ｓを干すことができる。
【００２１】
また、物干しバー１を前記沿設状態Ａの位置から突出状態Ｂに切り換える際に前記第一ストッパー９を退避可動すると、物干しバー１が前記高突出状態Ｂ１に位置決められることなく、回動腕部８が第二ストッパー10に回動規制されて、物干しバー１が低い位置で突出する低突出状態Ｂ２に位置決められることになる。
【００２２】
この低突出状態Ｂ２の物干しバー１には、高突出状態Ｂ１の時と同様に衣類などの洗濯物Ｓを干すことが可能であるが、低い位置に物干しバー１が位置決めされているために、例えば布団Ｆなどの比較的重量のあるものを干す場合に重量物を高くまで持ち上げなくとも良いことになる。
【００２３】
即ち、布団Ｆなどの重量物を干したい場合には、物干しバー１を低突出状態Ｂ２に位置決めすると、簡単に干すことができる。
【００２４】
このように本発明は、干す物に応じて物干しバー１の使用態様（高突出状態Ｂ１と低突出状態Ｂ２）を便利に使い分けできる極めて実用性に優れた物干し装置となる。
【実施例】
【００２５】
本発明の具体的な実施例について図面に基づいて説明する。
【００２６】
本実施例は、図１，図２に示すように、横設する物干しバー１の両端部に、この物干しバー１を、建物の窓２の上部の壁面５に沿設した沿設状態Ａと、この沿設状態の位置より下方にして前記窓２から離れた突出状態Ｂとに切り換え自在となる取付機構６を設け、この各取付機構６を前記窓２を設ける窓取付用開口部３の左右外側の室内側壁面５若しくはこの窓取付用開口部３の左右の縁枠部材４に取り付けし得るように構成した窓部取付型の物干し装置に係るものである。
【００２７】
本実施例の物干しバー１は、伸縮調整機構15を設けている。
【００２８】
具体的には、物干しバー１は、丸パイプ状のバー本体16内に、このバー本体16よりやや径小な丸パイプ状のスライドバー17をスライド自在に嵌挿してスライド伸縮調整自在な構成とし、更に、前記バー本体16の、スライドバー17嵌挿側の端部に締付用筒体18を設けて、この締付用筒体18を締付けることでバー本体16に対してスライドバー17が伸縮スライド不能な固定状態となり、締付用筒体18を緩めることでバー本体16に対してスライドバー17が伸縮スライド可能となる前記伸縮調整機構15を構成している。
【００２９】
従って、伸縮調整機構15による物干しバー１の伸縮調整により窓取付用開口部３の開口幅に応じて前記各取付機構６間の間隔を広狭調整可能であり、各取付機構６を様々な開口幅の窓取付用開口部３に対応して取り付けし得るように構成している。
【００３０】
また、本実施例の取付機構６は、左右一対をなすもので、この一対の取付機構６を夫々前記窓２を設ける窓取付用開口部３の左右外側の壁面５に取り付けし得るように構成した場合を示している。
【００３１】
具体的には、窓取付用開口部３の左右外側の壁面５に取り付ける左右一対の窓側取付部７に夫々回動腕部８を上下方向に起伏回動自在に枢着して前記左右一対の取付機構６を構成し、この各取付機構６の各回動腕部８の先端部間に前記物干しバー１を架設状態に連結している。
【００３２】
本実施例の窓側取付部７は、図４〜図７に示すように、前記壁面５に当接可能な板状であって縦長方形状のベース部22の一側板面の中ほどに、このベース部22の板面方向と直交する方向に向けて被回動作動部13を突設している。また、この被回動作動部13には、ベース部22の板面方向と平行で且つ水平方向に孔長を有する貫通孔23を形成してこの貫通孔23を前記回動腕部８枢着のための軸受部23としている。
【００３３】
この窓側取付部７（取付機構６）の、窓取付用開口部３の左右外側の壁面５への取付構造は、前記ベース部22の他側板面を壁面５に面接当接させた上で、このベース部22に設けた止着孔26を利用してネジなどの止着具により止着する構造としている。従って、このような簡易な取付構造を採用したことにより、取付機構６を介して本物干し装置を窓２の窓取付用開口部３に取付することが容易に行われると共に、既製の建築物に後付けすることも容易に行われる構成としている。
【００３４】
尚、この窓側取付部７を、例えば窓取付用開口部３の左右の縁枠部材４（例えば、窓枠の左右の縁枠部）に直接的に取り付け可能な形状に構成したり、他の金具等を併用することによって窓側取付部７を窓取付用開口部３の左右の縁枠部材４に間接的に取り付け可能な構成としても良く、このように構成すると、窓取付用開口部３の外側の壁面５を傷付けずに取り付けでき、また、窓取付用開口部３の左右外側の壁面５に取付構造部分（窓側取付部７）が露出しない体裁良好な窓側取付部７を設計することも可能となり、更に、カーテン41が備えられた窓２に対して本物干し装置を設置した場合には、カーテン41が閉められた状態でも開けられた状態でも窓取付用開口部３の側部内面19の前方に存するために、このカーテン41によって取付機構６の取付構造部分（窓側取付部７）が隠れて見えづらく、体裁が良好となるなどのメリットがある。また、請求項１中の「縁枠部材」なる記載は、窓枠の左右の縁枠部だけを意味するものではなく、窓枠（木枠）が存在せずに側部内面と上部内面とに直接壁紙が貼設されているような窓取付用開口部３の左右の縁枠部位も含む意味合いで用いている。
【００３５】
また、本実施例の回動腕部８は、角形の棒材で構成し、この各回動腕部８の先端部間に、前記物干しバー１を架設状態に配して直交連結することにより、各回動腕部８と物干しバー１とでコ字枠状をなすものとしている。そして、この各回動腕部８の基端部に夫々の対向内側に向けて枢着軸24を突設して、この各枢着軸24を、前記左右一対の窓側取付部７の夫々の軸受部23に、この各窓側取付部７の対向外側から枢着することによってこの回動腕部８と物干しバー１とを窓側取付部７に対して起伏回動自在に設けている。
【００３６】
即ち、前記各窓側取付部７を窓取付用開口部３の左右外側の壁面５へ取り付け固定すると、各回動腕部８が窓取付用開口部３の左右の縁枠部材４の外側にこの左右の縁枠部材４と平行に配設すると共に、物干しバー１が窓取付用開口部３の上部の縁枠部材４と平行に配設するように構成したもので、窓２にはカーテン41が備え付けられているものが多いが、このコ字枠状をなす各回動腕部８と物干しバー１とを、前記伸縮調整機構15による物干しバー１の伸縮調整や、前記取付機構６（の窓側取付部７）の窓取付用開口部３の左右外側の壁面５に対する取付位置（高さ）の調整によって、カーテン41やカーテンレール42を避けて設置することができ、且つカーテン41やカーテンレール42に干渉することなく、各回動腕部８を下方に向かって回動（伏動）させて物干しバー１を窓２から離れた突出状態Ｂにできる構成としている。
【００３７】
また、本実施例では、図１〜図３に示すように、窓側取付部７のベース部22にケース部材25を付設して、このケース部材25により前記軸受部23と前記枢着軸24との枢着部分が外観上に露出せずに隠蔽されて体裁良好となるように構成している。
【００３８】
本実施例では、前記窓側取付部７に枢着した回動腕部８に対して付勢力を付与する付勢手段27を前記窓側取付部７に設けると共に、この付勢手段27は、前記回動腕部８を上方へ回動しようとする方向に回動付勢する構成としている。
【００３９】
具体的には、図４〜図７に示すように、前記枢着軸24に付勢手段27としてのトーションバネ27を被嵌装着して、このトーションバネ27の一端部28を前記回動腕部８に係止する一方、トーションバネ27の他端部29を前記ベース部22に係止してこのトーションバネ27により回動腕部８に前記回動付勢力が付与される構成としている。
【００４０】
更に詳しくは、前記被回動作動部13の、前記軸受部23の軸通し方向の途中部を切欠して、この切欠部20を前記トーションバネ27を収容可能なバネ収容部20とし、このバネ収容部20にトーションバネ27を収容配設することによってトーションバネ27の他端部29がベース部22の被回動作動部13に係止されるように構成すると共に、このバネ収容部20に収容配設したトーションバネ27に、カラー34を介して前記軸受部23に挿通した前記枢着軸24を挿通すると、トーションバネ27の一端部が前記枢着軸24の先端部に設けた係止溝21に係止されるように構成している。図中符号33は前記軸受部23の軸通し方向の両端部に装着して前記枢着軸24を軸支する軸支部材である。
【００４１】
従って、回動腕部８を下方へ回動作動させる際には付勢手段27による回動抵抗があり、この回動抵抗によって物干しバー１を前記沿設状態Ａから前記突出状態Ｂに切り換える際に物干しバー１が勢い良く飛び出すようなことが防止され、また、物干しバー１を窓取付用開口部３の上部の壁面５に近接した沿設状態Ａとするために回動腕部８を上方へ回動（起動）させる際には付勢手段27の付勢力が助力として作用してこの操作が容易に行われると共に、沿設状態Ａが付勢保持される構成としている。
【００４２】
本実施例は、前記各取付機構６に、前記各窓側取付部７に対する前記各回動腕部８の回動を規制して前記突出状態Ｂとした前記物干しバー１を高い位置で突出する高突出状態Ｂ１に位置決め可能な第一ストッパー９と、この高突出状態Ｂ１より低い位置で突出する低突出状態Ｂ２に位置決め可能な第二ストッパー10とを設けている。
【００４３】
また、本実施例では、衣類などの洗濯物Ｓを干す場合に物干しバー１を前記高突出状態Ｂ１とし、布団Ｆなどの重量物を干す場合に物干しバー１を前記低突出状態Ｂ２として使用できるように、この高突出状態Ｂ１と低突出状態Ｂ２の高さを設定構成している。即ち、洗濯物干し用途と、布団干し用途とを使い分けできるように構成している。
【００４４】
具体的には、図３〜図５に示すように、各回動腕部８の基端部を側面視で略円形に形成してこの各円形基端部を前記各窓側取付部７の各被回動作動部13に対して回動する回動作動部12とし、この各回動作動部12の外周面に角形突起11を突設してこの角形突起11を係合部11とし、この各係合部11が回動作動部12の回動作動、即ち回動腕部８の回動作動に伴って前記枢着軸24を中心点とした弧状の軌跡を描いて移動するように構成している。
【００４５】
一方、図３，図４，図６に示すように、この各回動腕部８の枢着軸24が枢着される前記各被回動作動部13には、前記左右一対の窓側取付部７の対向外側となる側面に、前記軸受部23の外周（貫通孔23の孔縁）に沿うようにして弧状の規制用凹部30を設け、前記枢着軸24を軸受部23に枢着すると、前記係合部11が規制用凹部30内に配設するように構成している。
【００４６】
そして、前記回動腕部８の回動に伴って規制用凹部30内を前記係合部11が回動移動し、この規制用凹部30内を係合部11が移動可能な範囲が回動腕部８の回動移動範囲となる構成としている。即ち、回動腕部８の回動移動範囲は、規制用凹部30の形成範囲によって決まる構成としている。
【００４７】
また、この規制用凹部30は、前記回動作動部12の外周の略半周分に相当する範囲に形成し、この規制用凹部30の前記軸受部23の孔縁の長さ方向に沿った一端側壁部31（図３において下方に位置する壁部）を沿設時ストッパー31とし、他端側壁部10（図３において上方に位置する壁部）を前記第二ストッパー10として、規制用凹部30内で移動する前記係合部11が沿設時ストッパー31に係合することで前記物干しバー１が前記沿設状態Ａに位置決めされるように回動規制され、係合部11が第二ストッパー10に係合することで物干しバー１が前記突出状態Ｂであって且つ前記低突出状態Ｂ２に位置決めされるように回動規制される構成としている（図３参照。）。
【００４８】
また、本実施例の回動腕部８の最大回動範囲は、物干しバー１が窓取付用開口部３の上部の壁面５に沿設した沿設状態Ａ（回動腕部８が立設した収納状態）から、この沿設状態Ａの位置より下方にして窓２より離れた位置に物干しバー１が水平状態を保ったまま引き出されて、回動腕部８が水平より下方へ伏動した（水平状態から下方へ５０〜６０度程下降傾斜した）状態（低突出状態Ｂ２）までとなるように、前記規制用凹部30の形成位置並びに形成範囲を設定構成している。
【００４９】
また、この物干しバー１の低突出状態Ｂ２は、物干しバー１が使用者Ｕの身長より低い高さに突出するように設定構成して、布団Ｆなどの比較的重量のあるものを干す場合に重量物を高くまで持ち上げることなく容易に干すことができるようにしている（布団干し用途に適した構成としている。）。
【００５０】
本実施例の前記第一ストッパー９は、図３，図４，図６に示すように、前記規制用凹部30の途中に設けると共に、この第一ストッパー９は規制用凹部30に対し前記左右一対の窓側取付部７の対向内側へ没入退避可動自在に設けて、この第一ストッパー９を退避可動することにより、前記物干しバー１を前記沿設状態Ａの位置から前記回動腕部８を下方へ伏動させて前記突出状態Ｂに切り換えた際に前記物干しバー１が前記高突出状態Ｂ１に位置決められることなく、前記低突出状態Ｂ２となるまで回動腕部８が回動して位置決められるように構成している。
【００５１】
更に具体的には、第一ストッパー９は、丸棒状のピンを採用して構成し、この第一ストッパー９の先端部を規制用凹部30の途中に形成したピン通し孔32を介して規制用凹部30内に突出・没入可動自在に突設している。
【００５２】
そして、この第一ストッパー９を規制用凹部30内に突出させていると、前記物干しバー１を前記沿設状態Ａの位置から前記回動腕部８を下方へ伏動回動させて前記突出状態Ｂに切り換えた際に、前記係合部11がこの第一ストッパー９に係合して回動規制され、前記物干しバー１が前記高突出状態Ｂ１で位置決められるように構成している。
【００５３】
また、本実施例の高突出状態Ｂ１は、前記回動腕部８が略水平状態となる回動位置で位置決めされるように、前記第一ストッパー９の前記規制用凹部30への配置を設定構成している。
【００５４】
また、この高突出状態Ｂ１は、使用者Ｕの身長より高い高さに突出するように設定構成して、使用者Ｕが衣類などの洗濯物Ｓを干し易くしている（洗濯物干し用途に適した構成としている。）。
【００５５】
また、この第一ストッパー９の規制用凹部30に対する突没可動構造は、図６〜図８に示すように、前記ベース部22に帯板状のバー高さ切換レバー14の途中部を枢着してこのバー高さ切換レバー14の一端部をベース部22の下方へ突設すると共に、このバー高さ切換レバー14の他端部に前記ピン通し孔32に挿通した第一ストッパー９の途中部を枢着した構成として、このベース部22の下方に突設するバー高さ切換レバー14の一端部を往復移動操作すると、このバー高さ切換レバー14の枢着点43を支点に第一ストッパー９が規制用凹部30（ピン通し孔32）に対し突没可動する構成としている。
【００５６】
そして、このバー高さ切換レバー14の一端部を操作して規制用凹部30から第一ストッパー９を没入退避可動させると、前記物干しバー１を前記沿設状態Ａの位置から前記回動腕部８を下方へ伏動回動させて前記突出状態Ｂに切り換えた際に第一ストッパー９には前記係合部11が係合できず、係合部11が前記第二ストッパー10に係合するまで回動腕部８が回動可能となる（物干しバー１が前記低突出状態Ｂ２に位置決められる）ように構成している。
【００５７】
また、本実施例では、物干しバー１を前記付勢手段27の付勢力に抗して前記沿設状態Ａと前記高突出状態Ｂ１と前記低突出状態Ｂ２とで確実に位置決めするための位置決め手段35を備えている。
【００５８】
この位置決め手段35は、図６，図７に示すように、前記左右一対の窓側取付部７の夫々の内側に配する前記内側軸支部材33（33Ａ）を、この窓側取付部７に対して回り止め状態に装着し、この回り止め状態の各内側軸支部材33Ａに、各窓側取付部７の対向内側から板バネ37を採用した弾性部材37を重合配設し、この重合配設した板バネ37をネジなどの止具39により前記枢着軸24に回り止め状態に固定して、前記回動腕部８を回動するとこの回動腕部８と共に板バネ37が内側軸支部材33Ａに対して相対的に回動する構成としている。図中符号44は板バネ37と止具39とに介在するバネ座金である。
【００５９】
また、前記内側軸支部材33Ａには凸起36を一体的に凸設する一方、この凸起36が凹凸嵌合する凹部38を前記板バネ37の間隔をおいた三箇所に一体的に凹設して、回動腕部８を回動させて物干しバー１を前記沿設状態Ａにした時と、前記高突出状態Ｂ１にした時と、前記低突出状態Ｂ２にした時に、凸起36が三箇所の凹部38のいずれかに凹凸嵌合して物干しバー１が確実に位置決められる構成であって、この位置決め状態から回動腕部８を強い力で回動移動させれば、前記板バネ37が撓んで凸起36が凹部38から嵌脱して物干しバー１を位置変更可能となる構成としている。
【００６０】
従って、上述のように構成した本実施例によれば、干す物に応じて使用態様（高突出状態Ｂ１と低突出状態Ｂ２）を便利に使い分けできる実用的な物干し装置となる。
【００６１】
図中符号40は物干しバー１を昇降操作するための操作棒である。
【００６２】
尚、本発明は、本実施例に限られるものではなく、各構成要件の具体的構成は適宜設計し得るものである。
【００６３】
例えば、本実施例では、回動腕部８（回動作動部12）に係合部11を設けると共に、窓側取付部７（被回動作動部13）に第一ストッパー９と第二ストッパー10とを設けた場合を示したが、これとは逆に回動腕部８（回動作動部12）に第一ストッパー９と第二ストッパー10とを設けると共に、窓側取付部７（被回動作動部13）に係合部11を設ける構成としても良い。
【符号の説明】
【００６４】
１  物干しバー
２  窓
３  窓取付用開口部
４  縁枠部材
５  壁面
６  取付機構
７  窓側取付部
８  回動腕部
９  第一ストッパー
10  第二ストッパー
11  係合部
12  回動作動部
13  被回動作動部
14  バー高さ切換レバー
Ａ  沿設状態
Ｂ  突出状態
Ｂ１  高突出状態
Ｂ２  低突出状態
【図１】
2014008214.tif 000003
【図２】
2014008214.tif 000004
【図３】
2014008214.tif 000005
【図４】
2014008214.tif 000006
【図５】
2014008214.tif 000007
【図６】
2014008214.tif 000008
【図７】
2014008214.tif 000009
【図８】
2014008214.tif 000010